(57)【要約】【課題】  安全性を損なうことなく、戸開走行保護装置故障時の復旧作業時間を短縮するエレベータ制御システムを提供する。【解決手段】制御盤１の前記乗りかご８によって同時に覆われることがない部位、例えば制御盤１の最上部１ａと最下部１ｂ等にエレベータの制御装置と戸開走行保護装置とを接続するコネクタ６を備え、戸開走行保護装置動作時または故障時に前記コネクタ６に復旧専用コネクタ７を接続し、低速運転のみを実施可能とする。これにより、専門技術者は低速運転で乗りかごを運転して移動することが可能となり、アクセスの難しい位置に設置されている戸開走行保護装置に乗りかごの上等からアクセスできるように乗りかごを移動できるため、戸開走行保護装置の復旧を容易に行うことができる。【選択図】図４
2016023084.tif 000002
【特許請求の範囲】
【請求項１】
エレベータの乗りかごが戸開状態のまま走行することを防止する戸開走行保護装置をエレベータシャフト内の制御盤の上部に設けたエレベータにおいて、
前記制御盤に前記戸開走行保護装置と前記制御盤内の制御装置とを接続するコネクタの前記制御装置側に復旧専用コネクタを接続することにより、前記エレベータの低速運転のみを可能とすることを特徴とするエレベータの制御装置。
【請求項２】
前記コネクタは、前記制御盤の最上部と最下部の少なくとも１以上の位置に設けられていることを特徴とする請求項１に記載のエレベータの制御装置。
【請求項３】
前記コネクタは、前記制御盤の前記乗りかごによって同時に覆われることがない部位に複数設けられていることを特徴とする請求項１に記載のエレベータの制御装置。
【発明の詳細な説明】
【技術分野】
【０００１】
本発明は、エレベータの制御装置に関し、特に戸開走行保護装置を備えたエレベータの復旧時の作業時間を短縮することを可能とする機能を設けたエレベータ制御装置に関するものである。
【背景技術】
【０００２】
エレベータ制御装置の戸開走行保護装置は、戸開走行を検知した場合と、戸開走行保護装置自身が故障した場合においてもエレベータの動力を遮断し起動不能状態を保持する機能を有している。この場合、専門技術者によるエレベータ及び戸開走行保護装置の復旧作業が必要となるが、種々の保守点検作業を行なうにあたってはこの仕様については改善の余地があった。
【０００３】
従来この問題の解決策として、エレベータの乗りかごの戸開走行条件の発生を検出した際に前記乗りかごの起動不能（制止）状態を維持する機能を、保守点検作業における戸開走行保護装置の制御盤カバー脱着作業に連動して解除または復帰するようにした技術が特許文献１に開示されている。
【先行技術文献】
【特許文献】
【０００４】
【特許文献１】特開２０１２−１８４０５２号公報
【発明の概要】
【発明が解決しようとする課題】
【０００５】
しかしながら、従来技術の方式では、制御盤カバーの脱着作業は専門技術者だけでなく、誰もが可能な作業であり、解除する条件が制御盤カバーの脱着のみである場合、意図せず解除されてしまうという問題があった。
【０００６】
また、戸開走行保護装置がエレベータシャフト（昇降路）内のピットから簡単にアクセスできない高所などの位置に設置されている場合、戸開走行保護装置が故障してエレベータが起動不能となった時の乗りかごの位置によっては、戸開走行保護装置へのアクセスが困難となり、故障復旧までに多大な時間を要する可能性があるという問題があった。
【０００７】
本発明では、上記課題を解決するために、戸開走行保護装置の設置位置によらず、専門技術者のみが実施可能な作業でエレベータを一時的に低速運転可能とすることで、専門技術者が早期にエレベータを復旧可能とするエレベータの制御装置を提供することを目的とする。
【課題を解決するための手段】
【０００８】
前記の課題を解決するために、本発明は、エレベータの乗りかごが戸開状態のまま走行することを防止する戸開走行保護装置をエレベータシャフト内の制御盤の上部に設けたエレベータにおいて、前記制御盤に前記戸開走行保護装置と前記制御盤内の制御装置とを接続するコネクタの前記制御装置側に復旧専用コネクタを接続することにより、前記エレベータの低速運転のみを可能とすることを特徴とする。
【０００９】
また、本発明は、前記コネクタは、前記制御盤の最上部と最下部の少なくとも１以上の位置に設けられていることを特徴とする。
【００１０】
また、本発明は、前記コネクタは、前記制御盤の前記乗りかごによって同時に覆われることがない部位に複数設けられていることを特徴とする。
【００１１】
これらの特徴により、戸開走行保護装置が動作したり、戸開走行保護装置が故障した状況おいても、保守員は乗りかごを低速運転で移動させることが可能となり、戸開走行保護装置がアクセスが難しい位置に設置されていても、乗りかご上からアクセスできるように乗りかごを移動できるため、戸開走行保護装置の復旧を容易に行うことができる。
【発明の効果】
【００１２】
本発明のエレベータ制御装置によれば、戸開走行保護装置が動作または故障してエレベータが起動できなくなっている状態においても、専門技術者による低速運転操作のみを実施可能とできるため、短時間でエレベーターの復旧作業を実施することが可能となる。
【図面の簡単な説明】
【００１３】
【図１】本発明に係るエレベータの概略構成例を示す図である。
【図２】本発明に係る戸開走行保護装置とエレベータ動力電源の関連の一例を示す概略図である。
【図３】本発明に係る一時的に低速運転を実施可能とする装置の一例を示す図である。
【図４】本発明に係る図３に示す装置の動作フローを示す図である。
【発明を実施するための形態】
【００１４】
以下、本発明に係るエレベータ制御装置を実施するための形態を図１〜図４に基づき説明する。
【００１５】
図１は本発明に係るエレベータの概略構成例を示す図、図２は本発明に係る戸開走行保護装置とエレベータ動力電源の関連の一例を示す概略図、図３は本発明に係る一時的に低速運転を実施可能とする装置の一例を示す図、図４は本発明に係る図３に示す装置の動作フローを示す図である。
【００１６】
図１のエレベータの概略構成例においては、機械室レスタイプのエレベータの一般的な機器の配置を示している。一般に、機械室レスタイプのエレベータにおいては、エレベータ制御盤１は、専門技術者がエレベータが設置されている昇降路９の最下部のピット１０の床面に立ったり、または図示しない作業台に乗ってアクセス可能な位置に設置されている。
【００１７】
このようなエレベータに対して、戸開走行保護装置２を追加設置する場合には、制御盤１の上部に設置されることが多い。
【００１８】
しかしながら、このような位置に戸開走行保護装置２を設置した場合、乗りかご８が昇降路１内に停止している位置によっては、専門技術者が戸開走行保護装置２にアクセスできない状況が発生し得る。戸開走行保護装置２は、戸開走行動作の検出時、または戸開走行保護装置２自身の故障が発生した場合には、図２に示すように、制御盤１の制御装置５に対して巻上機３に供給する動力電源を遮断させる構成となっているため、戸開走行保護装置２を復旧できない場合は乗りかご８の位置を移動できず、またこのような状態では、乗りかご８を手動で移動させることも非常に困難な状況である。
【００１９】
本発明のエレベータ制御装置は、戸開走行保護装置２の動作または戸開走行保護装置２の故障によって乗りかご８の移動ができない状況においても、専門技術者が携行する一時低速運転用復旧用コネクタ７を使用して、一時的に乗りかご８を低速で移動させることを可能とするものである。具体的な構成としては、制御盤１と戸開走行保護装置２との間を接続するコネクタ６を、制御盤１の乗りかご８によって同時に覆われることが無い位置、例えば制御盤１の最下部や制御盤１の最上部１ａと最下部１ｂ等、乗りかご８が最下階に位置しても同時に乗りかご８によって覆われることが無くアクセスが容易な位置に設ける。そして、戸開走行保護装置２に換えて一時低速運転用復旧用コネクタ７をコネクタ６に接続することにより、図３に示す回路接続として一時的に乗りかご８の低速運転を可能とする構成としている。このような構成により、専門技術者は、乗りかご８を低速で運転して容易に戸開走行保護装置２にアクセス可能な位置に移動させることにより、早急な復旧が可能となる。
【００２０】
図４は本発明を実施する際の制御装置５における動作フローである。図４において、制御装５は、戸開走行保護装置２が正常運転信号を出力している場合はエレベータを正常運転させる（ステップＳ１０１〜ステップＳ１０２）。―方、戸開走行保護装置２が戸開走行を検知したり戸開走行保護装置２が故障した場合には、戸開走行保護装置２からの正常運転信号が出力されなくなるため、制御装置５は巻上機３への動力電源を遮断させ、エレベーダを制止させる（ステップＳ１０１〜ステップＳ１０３〜ステップＳ１０４）。
【００２１】
ここで、戸開走行保護装置２に換えて一時低速運転用復旧用コネクタ７がコネクタ６に接続された場合は、制御装置５は低速運転のみを許可するモードとなり（ステップＳ１０５）乗りかご８や乗場１１などに設置された低速運転を指示するスイッチが操作された場合には、乗りかご８を低速で運転して移動させる（ステップＳ１０６）。このような動作により、戸開走行保護装置２が動作または戸開走行保護装置２が故障した状況においても、乗りかご８を低速で安全に移動し、戸開走行保護装置２に容易にアクセス可能な位置に移動させることができ、これによって、短時間でエレベーターの復旧作業を実施することが可能となる。
【符号の説明】
【００２２】
１  制御盤
１ａ  制御盤最上部
１ｂ  制御盤最下部
２  戸開走行保護装置
３  巻上機
４  巻上機電源遮断用電磁継電器接点
５  制御装置
６  制御盤と戸開走行保護装置間を接続するコネクタ
７  一時低速運転用復旧コネクタ
８  乗りかご
９  昇降路
１０  ピット
１１  乗場
【図１】
2016023084.tif 000003
【図２】
2016023084.tif 000004
【図３】
2016023084.tif 000005
【図４】
2016023084.tif 000006